Podtech/llm-jp-corpus-v4-ja_patent huggingface dataset:
(57)【要約】【課題】  本発明は、折りたたみ傘専用の傘立てを提供する。【解決手段】    傘立て本体の容器（１）の前面に開口（２）を設け、前記容器（１）の底部の角に、傘布丸め角部（３）を設け、前記容器（１）に長方形状の傘布スライドスペース及び収納部（４）を設け、前記容器（１）の底部の外側に転倒防止脚（５）を２か所設けたことを特徴とする折りたたみ傘専用の傘立て。【選択図】図１
2020058756.tif 000002
【特許請求の範囲】
【請求項１】
傘立て本体の容器（１）の前面に開口（２）を設け、前記容器（１）の底部の角に、傘布丸め角部（３）を設け、前記容器（１）に長方形状の傘布スライドスペース及び収納部（４）を設け、前記容器（１）の底部の外側に転倒防止脚（５）を２か所設けたことを特徴とする折りたたみ傘専用の傘立て。
【発明の詳細な説明】
【技術分野】
【０００１】  本発明は、折りたたみ傘専用の傘立てに関するものである。
【背景技術】
【０００２】  従来、折りたたみ傘専用の傘立てというのは折りたたみ傘を、小さく折りたたみ、柄も短くした状態で、専用傘立てに収納するタイプのものであった。
【先行技術物件】
【特許文献】
【０００３】
【特許文献１】実開平０５−０８２３７０号公報
【発明の概要】
【発明が解決しようとする課題】
【０００４】  これらには次のような問題があった。
（イ）コンビニ、地域の個人病院・診療所、小型商業店舗・小規模事務所などのいわゆる、立ち寄り店舗の入り口前に置いて、雨に濡れた折りたたみ傘をすぼめて柄を縮めない状態で、素早くきれいに収納出来る折りたたみ傘専用の傘立てはなかった。
（ロ）コンビニ前などでよく見かける雨の日の光景として、折りたたみ傘は、長傘（洋傘）用の傘立ての脇や、傘立ての上、店舗入口付近の壁、ドアの袖のガラス窓部分に無造作に立て掛けられるか、地面に放られるなどして置き場所がない状態をよく目にする。
（ハ）店舗前の傘立てに整然と長傘が収納されていても、収納場所の無い折りたたみ傘が所在無げに乱雑に置かれてる光景は、一時的とはいえ、店舗前の美観を著しく損なう。
本発明は、これらの問題を解決するためになされたものである。
【課題を解決するための手段】
【０００５】  傘立て本体の容器（１）の前面に開口（２）を設け、前記容器（１）の底部の角に、傘布丸め角部（３）を設け、前記容器（１）に長方形状の傘布スライドスペース及び収納部（４）を設け、前記容器（１）の底部の外側に転倒防止脚（５）を２か所設ける。
以上のように構成された折りたたみ傘専用の傘立てである。
【発明の効果】
【０００６】（イ）コンビニや小型店舗、個人病院など、人が立ち寄り比較的短時間に、その場所を後にする場所に長傘用の傘立ての前面に置き、いままで収納場所がはっきりしないために乱雑に置かれていた、折りたたみ傘を素早くきれいに収納できる。
（ロ）折りたたみ傘専用傘立て（クルッと折りたたみ傘立て）と、いわゆる長傘用傘立てと一体化させた場合、傘立てとしての効果が上がる。
【図面の簡単な説明】
【０００７】
【図１】  本発明の正面図である。
【発明を実施するための形態】
【０００８】  以下、本発明の実施の形態について説明する。
傘立て本体の容器（１）の前面に開口（２）を設け、前記容器（１）の底部の角に、傘布丸め角部（３）を設け、前記容器（１）に長方形状の傘布スライドスペース及び収納部（４）を設け、前記容器（１）の底部の外側に転倒防止脚（５）を２か所設ける。
以上のように構成された折りたたみ傘専用の傘立てである。
本発明を使用するときは、雨に濡れた折りたたみ傘をすぼめ、傘布が広がった状態で、柄を縮めることなく、傘布を下に向け、本体の容器（１）の前面にある開口（２）から傘布を挿入し、傘布丸め角部（３）にあてがい、柄を軸にして、クルクルと傘布を丸め、そのままスライドスペース（４）を滑らせ、長方形状収納部（４）の端部に収納したところで１本目の折りたたみ傘は収納完了になる。
２本目も１本目同様の手順で１本目の隣に収納する。
傘立て内で傘と傘の間が空いているときは、同様の手順で傘を動かし傘を押しながら詰めて収納するようにする。
【符号の説明】
【０００９】    １  傘立て本体の容器
２  開口
３  傘布丸め角部
４  傘布スライドスペース及び収納部
５  転倒防止脚
【図１】
2020058756.tif 000003
(57)【要約】      （修正有）【課題】履物を履いたら膝と背筋が同時に真直ぐな状態になる履物を提供する。【解決手段】膝と背筋同時対策履物Ａの底部Ｂは先端部Ｃを高く前面を多角形にし、後端部Ｄは先端部Ｃより低くし、足裏が膝と背筋同時対策履物Ａから離れないように上から押さえる足前部収容カバーＥを前方に付け、スリッパ、下駄状の場合は踵が後方に滑り落ちるのを防ぐため踵滑り落ち防止具Ｆを設け、膝と背筋同時対策履物Ａを履いて歩くと誰もが膝と背筋が真直ぐに近づき、繰り返すことにより通常の履物でも習性になる事を目標にしている。【選択図】図１
2020058747.tif 000002
【特許請求の範囲】
【請求項１】
人は誰でも足裏を平面状に置いて両足を揃えて踵のみで立った状態にすると膝と背筋が同時に真直近くになるのを応用し、履物の先端部を高く、後端部を低くした履物を作り、それを履いた人は踵で立った姿勢に近くなり、猫背傾向の人又は予防を希望する人に使用を勧めることを特徴とする膝と背筋同時対策履物。
【請求項２】
請求項１の履物は後端部が低くなっているため、下駄やスリッパ状の履物は後方に滑り落ちる傾向があるので、必ず滑り落ち防止具を後端部に設けることを特徴とする膝と背筋同時対策履物。
【請求項３】
請求項１の先端部を高く多角形にして地面、床面等にスムーズに触れるようにしたことを特徴とする膝と背筋同時対策履物。
【発明の詳細な説明】
【技術分野】
【０００１】  本発明は履物を履くだけで膝と背筋を同時に真直ぐにする働きが生じる事に関する事である。
【背景技術】
【０００２】  姿勢で膝と背筋を真直ぐにする方法は意思と行動で出来るが持続せず、用具として背の前後に付ける用具は背筋のみを目標とし、椅子の背当てによる方法も背筋のみが実情である。
【発明の開示】
【発明が解決しようとする課題】
【０００３】  履物を履いただけで膝と背筋を同時に真直ぐにする働きが生じる履物を提供する。
【発明を解決するための手段】
【０００４】  前項の履物は底部の先端部を高く前面を多角形にして後端部を低くし、底部に置いた足裏が離れない様に履物の前方底部に足前部カバーを付け、踵が後端部から滑り落ちるものには滑り落ち防止具を備えることを特徴としている。
【発明の効果】
【０００５】  履物を履いた誰もが膝と背筋を同時に真直ぐにする働きが生じ、常時繰り返す事により背筋を真直ぐにする習性、足先を上げる習性が身に付き通常の履物での躓き減少に繋がる。
【図面の簡単な説明】
【０００６】
【図１】履物の底部の先端部を高く多角形にし、後端部を低くし、足前部収容カバーと踵との滑り落ち防止具を備えた必要最少要件を示した側面図。
【発明を実施するための形態】
【０００７】  膝と背筋を同時に真直ぐにする習性を身につけるため、履物の先端部を高く多角形にし後端部を低くし、後方で踵が滑り落ちる履物には滑り落ち防止具を設けて履くと、膝と背筋が同時に真直ぐ状態になる履物の提供を目的としている。
【０００８】  以下、添付図面に従って実施例を説明する。Ａは膝と背筋同時対策履物でＢは底部、Ｃは多角形の先端部、Ｄは後端部、Ｅは足前部収容カバー、Ｆは踵滑り落ち防止具、Ｇは床面で床面Ｇに置いた膝と背筋同時対策履物Ａの側面図である。
【０００９】  水平の床面Ｇで膝と背筋同時対策履物Ａを履いた誰でもが膝と背筋が同時に真直ぐ近くになり、履いて歩く事により膝と背筋を真直ぐにする習性が身に付く事が期待される。
【符号の説明】
【００１０】Ａ  膝と背筋対策履物
Ｂ  底部
Ｃ  先端部
Ｄ  後端部
Ｅ  足前部収容カバー
Ｆ  踵滑り落ち防止具
Ｇ  床面
【図１】
2020058747.tif 000003
(57)【要約】      （修正有）【課題】電気湯沸かしポットで発生している湯気の再利用することが出来る蒸し機能措置セットを提供すること。【解決手段】２本の太さ１．２ｍ長さ４００ｍｍのステンレスの針金を両端から７ｍｍの所で９０度に折り曲げ、そこから５ｍｍ間をおいて直径５ｍｍの円に針金を曲げ、２本の針金を中央で１８０度に曲げて坐禅結びに結合すると約１５ｍｍの楕円形の結び目ができる。楕円形を軸に平行した２本の針金を４５度と４５度の９０度に折り曲げて楕円形の中央から７５ｍｍの所で９０度に折り曲げて湯沸かしポット内に吊るして皿を入れ、完了する。【選択図】図２
2020058750.tif 000002
【特許請求の範囲】
【請求項１】
電気湯沸かしポットに溜まっている湯気で食材を蒸したり温めたりするために食材入りの皿を置く装置である。
【請求項２】
電気湯沸かしポットに溜まっている湯気で食材を蒸したり温めたりするための皿を置く装置を定着した電気湯沸かしポットである。
【発明の詳細な説明】
【発明の詳細な説明】
【産業上の利用分野】
【０００１】  電化製品の分野である。
【背景技術】
【０００２】  電子レンジやガス等の火力で蒸気を作りその蒸気で食材を蒸す蒸し鍋セットやセイロがある。
【発明が解決しようとする課題】
【０００３】  従来の電子レンジや蒸し鍋セット等は電気やガス等の火力が必要で省エネの効果がない。省エネの必要が課題である。
【課題を解決するための手段】
【０００４】  蒸す又は温める食材を入れた皿を電気ポットの湯面の上に吊るし電気ポットに溜まっている蒸気で食材を蒸し又は温める。
【作用】
【０００５】  電気湯沸かし器の蒸気が吊るした皿の食材を蒸し又は温める作用をなす。
【実施例】
【０００６】  ２本の太さ１．２ｍ長さ４００ｍｍのステンレスの針金を両端から７ｍｍの所で９０度に折り曲げそこから５ｍｍ間をおいて直径５ｍｍの円に針金を曲げ、２本の針金を中央で１８０度に曲げて坐禅結びに結合すると訳１５ｍｍの楕円形の結び目ができる。楕円形を軸に平行した２本の針金を４５度と４５度の９０度に折り曲げて楕円形の中央から７５ｍｍの所で９０度に折り曲げて湯沸かしポット内に吊るして皿を入れ完了する。
【発明の効果】
【０００７】  電気湯沸かしポットで常時食材を蒸し温める事ができ省エネ効果が期待できる。
【図面の簡単な説明】」
【図１】  本発明の側面図である。
【図２】  本発明の俯瞰図である。
【図３】  本発明の斜視図である。
【０００８】  以下、本発明の形態を説明する。
ステンレス針金を図面に基づき加工制作した湯沸かし機能措置セットを電気湯沸かしポット内に取り付け食材を入れる皿を置き食材を入れフタをして完了する。蒸す又は温めが終わったら取り出し引掛を用いてバランスよく取り出す。
又、食材を袋に入れておくと食材だけ取り出すことができる。
【符号の説明】
【０００９】  １  吊り下げフック
２  取出し引掛け
３  本体針金Φ１２
４  坐禅接合
【図１】
2020058750.tif 000003
【図２】
2020058750.tif 000004
【図３】
2020058750.tif 000005
(57)【要約】      （修正有）【課題】容易に手作りカツを作ることができるカツ調理器具を提供すること。【解決手段】トレイ１の上部外周、上ぶた２との接合部分にパッキング材４を設け、トレイ１の上部、上ぶた２との接合部分下につば１ａを設け、中かご３の上端に、つば３ａと持ち手３ｂを設け、上ぶた２の前面に持ち手２ａを設け、トレイ１と上ぶた２、中かご３は、上面または底面の面積をやや小さくし、それぞれ同じ部品同士で重ねられる形態とする。また、トレイ１と上ぶた２、中かご３は、上面または底面と側面が交わる部分を曲面とし、中かご３は食材に材料が付着しやすい形態とし、トレイ１と上ぶた２は食材の状態が外部から確認しやすい形態とする。使用にあたっては、持ち手２ａをつかみ、上ぶた２を開け、トレイ１に小麦粉、溶き卵、パン粉等の材料を入れ、上ぶた２をして密閉した後、容器を前後に繰り返し動かし、材料を食材に付着させる。【選択図】図１
2020058748.tif 000002
【特許請求の範囲】
【請求項１】
密閉性を高めた持ち手つき上ぶたを設け、トレイ内に持ち手つき中かごを設けたことを特徴とする、簡単手作りカツ調理器具である。
【発明の詳細な説明】
【技術分野】
【０００１】  本発明は、密閉容器内に中かごを設け、容易に手作りカツを作ることができる簡単手作りカツ調理器具に関するものである。
【技術の背景】
【０００２】  従来、カツやフライを作る際、バットやトレイなどの汎用容器が使われていた。
【先行技術文献】
【特許文献】
【０００３】  本発明に先行する容器についての技術文献は存在しない。
【発明の概要】
【発明が解決しようとする課題】
【０００４】  そのため次のような問題点があった。
（イ）食材に小麦粉や溶き卵などの材料を付着させる際、容器周辺を汚しやすかった。
（ロ）材料が混合して粘度を増し、手や箸に付着し作業がしにくかった。
（ハ）生ものの食材を、箸や手でつかむため衛生管理が大変だった。
（ニ）ふたがないため、使いきれなかった粉類の冷蔵庫等での保管が難しかった。
【課題を解決するための手段】
【０００５】  密閉性を高めた上ぶたを設ける。
持ち手つき上ぶたを設ける。
トレイ内に持ち手つき中かごを設ける。
以上を特徴とする、簡単手作りカツ調理器具である。
【発明の効果】
【０００６】（イ）密閉性を高めた上ぶたを設けることで、液体や粉類の飛散が減少する。
（ロ）食材を中かごの操作のみで、付着させる材料に移動させていくので、材料が手や箸  に付着することがない。
（ハ）生ものの食材を箸や手でつかまず、中かごの操作のみで移動させていくので、衛生  管理が容易になる。
（ニ）密閉性を高めた上ぶたを設けることで、使いきれなかった粉類の冷蔵庫等での保管  が可能になる。
【図面の簡単な説明】
【０００７】
【図１】本発明の部品ごとの斜視図である。
【図２】本発明を一体化した斜視図である。
【図３】本発明を切り欠いた側面図である。
【発明を実施するための形態】
【０００８】  以下、本発明の実施形態について説明する。
（イ）トレイ（１）の上部外周、上ぶた（２）との接合部分にパッキング材（４）を設け  る。
（ロ）トレイ（１）の上部、上ぶた（２）との接合部分下につば（１ａ）を設ける。
（ハ）中かご（３）の上端に、つば（３ａ）と持ち手（３ｂ）を設ける。
（ニ）上ぶた（２）の前面に持ち手（２ａ）を設ける。
（ホ）トレイ（１）と上ぶた（２）、中かご（３）は、上面または底面の面積をやや小さ  くし、それぞれ同じ部品同士で重ねられる形態とする。
（ヘ）トレイ（１）と上ぶた（２）、中かご（３）は、上面または底面と側面が交わる部  分を曲面とする。
（ト）中かご（３）は食材に材料が付着しやすい形態とする。
（チ）トレイ（１）と上ぶた（２）は食材の状態が外部から確認しやすい形態とする。
本発明は以上のような構成である。
本発明を使用するときは、本発明品を３個準備し、横に隣接して置く。
持ち手（２ａ）をつかみ、上ぶた（２）を開け、それぞれ３個のトレイ（１）に右より小麦粉、溶き卵、パン粉の材料を入れ、以下の作業を行う。
（リ）小麦粉を入れたトレイ（１）の中かご（３）に食材を置き、上ぶた（２）をして密  閉した後、容器を前後に繰り返し動かし、小麦粉を食材に付着させる。
（ヌ）小麦粉の食材への付着が不十分な場合は、容器を持ち、あおるように回転して動か  す。
（ル）小麦粉が食材に付着したら、持ち手（２ａ）をつかみ、上ぶた（２）を開け、中か  ご（３）の持ち手（３ｂ）を持ち、トレイ（１）の左側面上端を支点として、隣接させ  た溶き卵のトレイ（１）の中かご（３）に食材を裏返して入れる。
以下、溶き卵、パン粉の容器についても、上記（リ）〜（ル）と同様の作業を行うが、最後容器でパン粉が付着した食材は取り出す。
なお、パン粉の付着が弱い場合は、小麦粉用容器の中かご（３）を移動し、パン粉用容器の中かご（３）上にある食材の上から軽く押さえて、パン粉の付着を確実にすることもできる。
【符号の説明】
【０００９】    １    トレイ
１ａ  つば
２    上ぶた
２ａ  持ち手
３    中かご
３ａ  つば
３ｂ  持ち手
４    パッキング材
【図１】
2020058748.tif 000003
【図２】
2020058748.tif 000004
【図３】
2020058748.tif 000005
(57)【要約】      （修正有）【課題】水滴の一滴一滴の大きさを一定量に保ち、水滴が落ちる時間間隔を自由に変えることができる水滴発生装置を提供する。また、落ちた水滴の水紋を照明によって床や天上に投影できる水滴投影照明装置を提供する。【解決手段】水滴発生装置を丸形透明板Ａと中央に穴の開いた丸形透明板の間に閉じた空間をつくりその間に水を満たしパイプＦによって落下して溜まった水をつなぎポンプＥによって循環させるように構成した。これにより、ポンプが作動しなければ表面張力で穴Ｈから水は落ちず止まっており、ポンプＥによってＡとＢの間に水が注入されることで穴Ｈの水が膨らみ水滴化し落下するようにした。また、上記水滴発生装置に照明ＬＥＤ光源によって水紋を通路、床や天上に投影することにより水滴投影照明装置とした。【選択図】図１
2020058969.tif 000002
【特許請求の範囲】
【請求項１】
本装置は丸形透明板Ａと中央に穴の開いた丸形透明板の間に閉じた空間をつくりその間に水を満たし循環パイプＦによって落下して溜まった水をつなぎポンプＥによって循環させることで水滴を発生する装置。ポンプが作動しＡとＢの間に水の流入がなければ表面張力で水は穴Ｈから落ちず、ポンプによってＡとＢの間に注入されることで穴Ｈの水が膨らみ水滴となって落下する装置が本考案である。水滴の大きさは穴Ｈに比例し、落ちるスピードは筒の高さに比例し、水滴と水滴の間隔はポンプの水を送る量及び間欠リレーによってポンプの作動時間を延ばすことで短い間隔も長い時間に自由にしうることが可能である。
【請求項２】
上記の水滴発生装置に図１の（ホ）（ト）のように照明ＬＥＤ光源により床や天上に投影することで光の芸術、通路、廊下、ロビー、ダンスホールなどの照明装置でありながら、水紋を投影することでムードある、神秘的な空間演出が可能とする水滴投影照明装置。
【発明の詳細な説明】
【技術分野】
【０００１】
水滴を一滴一滴の大きさを一定量に保つことは困難であり、その水滴の落ちる間隔（間の時間）を自由に変えることは困難である。また、その水滴の落ちた水紋を照明によって床や天上に投影することは水滴を落とすパイプが邪魔になって水紋の投影に邪魔になる。様々な液体（ミルク、油、オイル）が滴となって落ちる液紋の研究。水滴の性質、水滴の落ちて着水する時の音の研究等。
【背景技術】
【０００２】
水滴の形状、水滴の性質、水滴の落ちて着水する時の音の研究。着水時にできる水紋の研究など、水に限らず様々な液体（ミルク、油、オイル）が水滴化し落下しの水紋がどんな振る舞いをするかの研究時に必要な、一定の大きさの水滴をつくることは難しい。
【発明の開示】
【発明が解決しようとする課題】
【０００３】
水滴の一滴一滴の大きさを一定量に保つことは困難で、その水滴が落ちる間隔、つまり水滴が落ちて次の水滴が落ちるまでの時間を自由に変えることことは困難です。また、その水滴の落ちた水紋を照明によって床や天上に投影することは水滴を落とすパイプが邪魔になって水紋の投影の邪魔になる。
【課題を解決するための手段】
【０００４】
図１の丸形透明板Ａと中央に穴の開いた丸形透明板の間に閉じた空間をつくりその間に水を満たしパイプＦによって落下して溜まった水をつなぎポンプＥによって循環させる。ポンプが作動しなければ表面張力で穴Ｈから水は落ちず止まっている。ポンプＥによってＡとＢの間に水が注入されることで穴Ｈの水が膨らみ水滴化し落下するのが本考案の基本原理である。
水滴の大きさは穴Ｈに比例し、落ちるスピードは筒の高さに比例し、水滴と水滴の間隔はポンプＥの水を送る量及び間欠リレーによってポンプ作動時間を延ばすことで短い間隔もかなり長い時間も可能である。そして本考案の水滴発生装置（ロ）に図１の（ホ）（ト）のように照明ＬＥＤ光源によって水紋を通路、床や天上に投影する「水滴照明」として（へ）（チ）のように光の芸術、廊下やロビー、ダンスホールなどの空間演出する装置が本考案です。
【発明の効果】
【０００５】
（１）水滴の形状、水滴の性質、水滴の落ちて着水する時の音の研究。着水時にできる水紋の研究など、水に限らず様々な液体（ミルク、油、オイル）による水紋の研究ができる。
（２）水滴の大きさを一定に保つことが可能
（３）今落ちた水滴と次に落ちる水滴までの間隔を自由にコントロールできる。
（４）水滴発生装置に図１の（ホ）（ト）のように照明ＬＥＤ光源により通路、床や天上に水紋を投影することで光の芸術、廊下やロビー、ダンスホールなどの空間演出する
【図面の簡単な説明】
【０００６】
【図１】本考案のシステムの構成図及び実施例である。
【０００７】
【符号の説明】
【０００８】
（イ）本考案装置の立面図及び断面図（水などの液体が入っていない状態）
（ロ）本考案装置に水などの液体が入った状態
（ハ）穴Ｈの大きさ（左の拡大図）に比例して水滴の大きさも変化し同時に水紋の形状も変わる（右）
（ニ）（ロ）に対して円筒が長く、水滴の落下エネルギーが高く水紋の波が大きくなる
（ホ）本考案の水滴発生装置に投影用ＬＥＤ光源を取付し下方向へ投影している
（へ）本考案の水滴投影装置（水滴照明）を天上に設置し廊下やロビーの床に水紋を投影している例
（ト）本考案の水滴発生装置に下方より投影用ＬＥＤ光源を取付し上方向へ投影している
（チ）本考案の水滴投影装置（水滴照明）を床に撮り付け廊下やロビーの天井に水紋を投影している例
【０００９】
Ａ：丸形透明アクリル板
Ｂ：丸形透明アクリル板及びその中央に水滴の大きさに応じた穴Ｈがある
Ｃ：丸形透明アクリル板
Ｄ：円筒アクリル（アクリルパイプ）
Ｅ：ポンプ（チューブポンプ等）
Ｆ：循環パイプ
Ｇ：通気口・表面張力の為の穴、内部を大気圧と同じくする
Ｈ：水滴の大きさに応じた穴
Ｉ：投影用ＬＥＤ光源
Ｊ：投影された水紋
Ｋ：天上取り付けた本考案装置
Ｌ：床に取り付けた本考案装置
【図１】
2020058969.tif 000003
(57)【要約】【課題】    小中型エンジン式発電機を屋外で使用しても、周囲への騒音被害もなく、又、雨天時にも安全に小中型エンジン式発電機を作動させられる為の器具を提供する。【解決手段】小中型エンジン式発電機架台１は、外周部全体を中空ポリカーボネートパネル５と、その内側を吸音材６の２重構造で囲うことで、雨天時でも屋外での発電と、発電時の周囲への騒音防止が出来る、尚且つエンジン式発電機を中段の金属製レール３の高さに設置することで、吸気口そして吸気冷却用電動ファン７と、排気口８をエンジン式発電機の下方に下向きで設置することで、吸排気口から漏れる音を低減し、直接周囲に漏らすことがなく尚且つ吸気冷却用ファン７により、エンジン式発電機が必要とする空気量を十分に確保するとともに、エンジン式発電機を冷却する事で高音になることを防止し、排気口８によってエンジン冷却で高温となった空気が排気出来る事で、長時間の連続運転が安全に可能となる。【選択図】図２
2020118152.tif 000002
【特許請求の範囲】
【請求項１】
小中型エンジン式発電機は、一般的に必要時に屋外に持ち出して発電させるが、本発明は中段の金属製レール３に小中型エンジン式発電機を設置する。
【請求項２】
エンジン式発電機から発生する騒音を出来るだけ直接周囲に漏らさない為に音漏れの原因となる吸気口７と排気口８を、エンジン式発電機の下部である外周部下側に設けられている。
【請求項３】
エンジン式発電機の必要吸気量とエンジン式発電機本体の冷却性を向上させるために、吸気口７には必要により、電動式ファンを設置する。
【請求項４】
金属製レール３は、可動が可能な事に因って、各導入発電機の大きさによる変更可能なことで、発電機の導入設置が容易にできる形状である。
【請求項５】
外部構造５は、軽量であると共に、耐候性・耐火性かつ自己消化性・耐水性耐衝撃性・耐薬品性・防音性能を持つ、中空ポリカーボネートを使用する。
【発明の詳細な説明】
【技術分野】
【０００１】本発明は、小中型エンジン式発電機の使用及び保管時の防音及び防雨対策に関する。
【背景技術】
【０００２】従来は、小中型エンジン式発電機使用時の騒音が大きく、近隣の迷惑になると供に、雨天時には屋外での使用が出来ない為に、室内での使用で死亡者も出ていた。
【先行技術文献】
小中型エンジン式発電機については特にない。
【特許文献】
【特許文献】特にない。
【発明の概要】
【発明が解決しようとする課題】
【０００３】そこで本発明の目的は、小中型エンジン発電機から発生する騒音を低下させるとともに、防雨対策が出来る屋外設置式の小中型エンジン式発電機架台を、提供することで、安全且つ騒音のない環境を守ることである。
【課題を解決する為の手段】
【０００４】以上の課題を解決する為に、第一発明は、小中型エンジン式発電機から発生する騒音を、大幅に低下させることが可能な吸音材の防音ケース内に収めることである。
【０００５】又、第二発明は、前記の防音ケースの外部に、風雨等から守ることができる外部構造の２重構造にすることである。
【０００６】又、第三発明では、下から２段目の中段に小中型エンジン式発電機を設置するための、可動式金属製レールを設置することで、底辺部と小中型エンジン式発電機との間に空間を設け、底辺部に空気の吸気口と排気口を取り付けることが出来る、その結果吸排気口からの音漏れを抑えながら、充分な大きさの吸気量と排気量を確保することができる。
【０００７】又、第４発明は、空冷式エンジン用に、下部の吸気口に電動式吸気冷却ファンを取付けることにより、確実な吸気量でのエンジン冷却を実現することができる。
【発明の効果】
【０００８】以上の様に、第一発明及び第二発明により、小中型エンジン式発電機は、安全に保管できると供に、発電時の騒音問題も、吸音率の高い性能を有するケースで回避でき、風雨に耐え得る外部素材で守られている為に、台風等での停電時にも使用が出来る、又、第三発明と第四発明の吸排気口と、吸気冷却ファンによって、長時間連続運転も可能となる。
【図面の簡単な説明】
【０００９】
【図１】この発明の実施形態を示した斜視図である。
【図２】この発明の実施形態を示した斜視透視図である。
【図３】この発明の実施形態を示した断面図である。
【発明を実施するための形態】
【００１０】この発明の実施形態を図一及び図二に示す。
小中型エンジン式発電機架台の骨格材は堅牢な金属製として、日差しや風雨にさらされる外周部は、体育館や温室の天井部にも使用されている、軽量且つ耐火性、断熱性、耐候性、耐衝撃性能の高い、中空ポリカーボネートパネルを使用する、そして、内部防音材としては、吸音率が高い吸音材を使用する、そして、中段にエンジン式発電機を設置することで、２重構造の外周部との間隔を取ることが可能となる、その結果、底辺部に吸気用電動式ファンと、排気量が充分な大きさの排気口を、設置することができる。
【実施形態の効果】
【００１１】この実施形態によれば、小中型エンジン式発電機を、本発明の架台ケース内に収納したまま発電が可能であるとともに、住宅地であっても低騒音架台ケースの効果によって、近隣に騒音迷惑が掛かかること無く、又、風雨の強い環境でも発電機を作動することが可能であるので、万が一の災害時にも電源の確保が可能となる。
【産業上の利用可能性】
【００１２】１、電源の確保が困難な地域でも、対応燃料を確保すれば発電が可能となる。
２、停電時などの電源確保が近隣の迷惑にならずに出来る。
３、軽量で屋外固定式の為に、例えば屋上などに設置することで、水害等の被災時に於いても、電源の確保が可能となり、病院、避難所、商店、コンビニ等の各種施設でも容易に電源確保が出来る。
【符号の説明】
【００１３】１、  小中型エンジン式発電機架台本体
２、  本体金属製骨組み。
３、  小中型エンジン式発電機導入及び固定用可動式金属製レール。
４、  小中型エンジン式発電機導入用金属製レール
５、  中空複層ポリカーボネートパネル。
６、  吸音材。
７、  吸気及び空冷用電動ファン。
８、  排気グリル・
９、  エンジン排気口
１０、中段用金属製Ｌ型
【図１】
2020118152.tif 000003
【図２】
2020118152.tif 000004
【図３】
2020118152.tif 000005
(57)【要約】【課題】  警備、監視業務に於いて、雨、雪、及び日光を防ぎ、周囲３６０度を見渡し易くした構造物で、この構造物を最適な位置に人力で移動設置が出来る、警備、監視用自在車輪付き構造物を提供する。【解決手段】  コの字型のフレームに自在車輪を取り付け、本構造物の基台（３）とし、上部には太陽光発電板付き屋根（１）を設け、屋根（１）と基台（３）とを、支柱物（２）で固定したものに手すり（４）を取り付けたもの。以上の構成よりなる警備、監視用の自在車輪付き構造物を特徴とする。【選択図】図１
2020118010.tif 000002
【特許請求の範囲】
【請求項１】
自在車輪付き基台（３）に支柱物（２）を取り付け、その上部に太陽光発電板付き屋根（１）を取り付け、手すり（４）を、支柱物（２）と自在車輪付き基台（３）に取り付けた構造の、警備、監視用自在車輪付き構造物。
【発明の詳細な説明】
【技術分野】
【０００１】  この発明は屋外による警備、監視業務に於いて雨、雪および日光から身体を保護すると共に警備、監視を周囲３６０度見渡し可能で、なお且つ容易に移動、設置が出来る、警備、監視用の自在車輪付き構造物に関するものである。
【背景技術】
【０００２】  従来、屋外における警備、監視業務は天候に対する対策としてポリスボックスと称するものがあるが、警備、監視業務という面では周囲を見渡（監視）しずらく、又移動、設置に極めて時間を要する構造物である。
【先行技術文献】
【特許文献】
【０００３】
【特許文献１】実用新案登録第３１４４４８８号
【特許文献２】公開特許公報  特開２００１−２２０８２４
【特許文献３】登録実用新案公報  第３０６１５６０
【特許文献４】公開特許公報  平４−９７０３３
【特許文献５】公開実用新案公報  平２−１８８６３
【発明の概要】
【発明が解決しようとする課題】
【０００４】これは次のような欠点があった。
（イ）  従来、屋外による警備、監視業務はポリスボックスと称する箱型の構造物に入り業務を遂行する場合があるが、正面方向は見渡し易いが、左右，後部方向は構造物の支柱、壁などが監視の障害となり、見渡しが困難である。
（ロ）  従来のポリスボックスは設置、移動等において時間を要すると共に搬送機などによる機械的動力を必要とし、人力による移動は不可能であり、現在殆ど使用されていない。
（ハ）  従来のポリスボックスによる警備、監視業務は外周（遠方）から警備員又は監視員の存在が確認しずらい。
本発明は、以上のような欠点をなくすためになされたものである。
【課題を解決するための手段】
【０００５】  コの字型のフレームに自在車輪を取り付け本構造物の基台（３）とし、上部には太陽光発電板付き屋根（１）を設け、屋根と基台とを支柱物（２）で固定したものに、手すり（４）を取り付けたもの。
本発明は、以上の構成よりなる、警備、監視用の自在車輪付き構造物である。
【発明の効果】
【０００６】（イ）  警備、監視業務において周囲３６０度を容易に見渡せると共に雨、雪、及び日光を防ぐ機能があり、突然の天候異変において濡れることはなく業務遂行ができ、体力を保護することが出来る。
（ロ）  自在車輪付き構造物であることから、使用現場で設置場所の変更について人力で素早く移動させる事ができる。
（ハ）  警備、監視員の存在が外周（遠方）から確認できる事により、警備、監視威力を高める事が出来る。
【図面の簡単な説明】
【０００７】
【図１】本発明の組み立て完成斜視図である。
【図２】本発明の分解した部分構成品斜視図である。
【発明を実施するための形態】
【０００８】  以下、本発明を実施するための形態について説明する。
自在車輪付き基台（３）に支柱物（２）を取り付け、その上部に太陽光発電板付き屋根（１）を取り付け、手すり（４）を支柱物（２）と、基台（３）に取り付けた構造物である。
本発明は、以上のような構造である
これを使用するときは、使用する現場で最適と判断する位置に、この自在車輪付き構造物を人力で移動し設置する。警備、監視員は構造物内に入り警備、監視業務等を遂行する。監視は周囲３６０度可能で、突然の天候異変等に対して、雨、雪などを防ぎ濡れることはなく、真夏に於いては直射日光を防ぐことが出来る。  また外周、遠方より警備、監視員の存在が判り易いことから警備、監視威力を高めると共に、随時必要な位置（場所）に、人力で移動、設置が可能である。
【符号の説明】
【０００９】１．屋根
２．支柱物
３．基台
４．手すり
５．屋根支持材
６．照明灯
７．台（棚）
８．自在車輪
９．設置固定用ボルト
１０．雨樋
１１．太陽光発電板
【図１】
2020118010.tif 000003
【図２】
2020118010.tif 000004
(57)【要約】      （修正有）【課題】トルクを増やしても、回転数が変わらぬトルク増幅器を提供する。【解決手段】油圧調整タンクＣに油を入れながらトルク増幅器Ａの軸９を回転させ、油がトルク増幅器Ａからトルク増幅器Ｂ、そして、油面が油圧調整タンクの８割に達したら、準備完了。トルク増幅器Ａの軸９を回すとピストン８に油が押されて、パイプ４を通りトルク増幅器Ｂのシリンダーに入りトルク増幅器Ｂのピストン８が油に押され、トルク増幅器Ｂの軸９が回り、油はパイプ５を通りトルク増幅器Ｂのシリンダーの内径より大きい油圧調整タンクＣに流れ、パイプ６を通りトルク増幅器Ａのシリンダーに入る。弁７はピストンが近ずくと、ピストンの軸のラインに押されて上がり過ぎると下りる。この繰り返しにより、トルクの増幅が継続する。【選択図】図４
2020118291.tif 000002
【特許請求の範囲】
【請求項１】
シリンダーの形がリング状でリングの直径が大きくシリンダーの内径が小さいトルク増幅器とシリンダーの形がリング状でリングの直径が小さくシリンダーの内径が大きいトルク増幅器をパイプで油圧調整タンクＣに繋ぐ構成のトルク増幅器。
【発明の詳細な説明】
【技術分野】
【０００１】油圧よるトルク増幅器に関するものである。
【背景技術】
【０００２】    従来の製品は、トルクを増やすと回転数が落ちた。
本発明はその欠点なくしたものである。
【背景技術】
【０００３】
【特許文献１】
【発明の概要】
【発明の解決しようとする課題】
【０００４】トルクを増やしても、回転数が変わらぬこと。
【解決するための手段】
【０００５】シリンダーの形がリング状でリングの直径が大きくシリンダー（１０）の内径が小さいトルク増幅器以下（Ａ）と云う、
シリンダーの形がリング状でリングの直径が小さく、シリンダー（１０）の内径が大きいトルク増幅器以下（Ｂ）と云うのを、（Ｂ）のシリンダーの内径より大きい油圧調整タンク以下（Ｃ）と云うのをパイプでつなぐ
本発明は以上構成のトルク増幅器。
【発明の効果】
【０００６】トルク増幅器（Ａ）とトルク増幅器（Ｂ）のシリンダー（１０）の容量が同じなら（Ａ）と（Ｂ）の回転数が同じになり（Ｂ）の容量が小さいと（Ｂ）の回転数が上る．
【図面の簡単な説明】
【０００７】
【図１】トルク増幅器の正面
【図２】トルク増幅器の裏面図と上面図
【図３】トルク増幅器の右面図
【図４】トルク増幅器の断面図
【発明を実施ための形態】
【０００８】油圧調整タンク（Ｃ）に油を入れながら（Ａ）軸（９）を回転させ、油が（Ａ）から（Ｂ）
そして、油面が油圧調整タンク（Ｃ）の８割に達したら、準備完了。
（Ａ）の軸（  ９）を回すとピストン（８）に油が押されて、パイプ（１）を通り（Ｂ）のシリンダー（１０）に入り（Ｂ）のピストン（８）が油に押され、（Ｂ）の軸（９）が回り油はパイプ（２）を通り（Ｂ）のシリンダー（１０）の内径より大きい油圧調整タンク（Ｃ）に流れ、パイプ（３）を通り（Ａ）のシリンダー入る、
（７）の弁はピストンが近ずくと、ピストンの軸のラインに押されて上がり過ぎると下りる。
この繰り返しにより、トルクの増幅が継続する。
【符号の説明】
【０００９】１  シリンダーがリング状でリングの直径大きくシリンダーの内径が小さいトルク増幅器以下（Ａ）と云う、
２  シリンダーがリング状でリングの直径が小さくシリンダーの内径が大きいトルク増幅器以下（Ｂ）云う
３  油圧調整タンク（Ｃ）
４  パイプ      １
５  パオプ      ２
６  パイプ      ３
７  弁
８  ピストン
９  軸
１０  シリンダー
【図１】
2020118291.tif 000003
【図２】
2020118291.tif 000004
【図３】
2020118291.tif 000005
【図４】
2020118291.tif 000006
【手続補正書】
【提出日】平成31年4月1日(2019.4.1)
【手続補正１】
【補正対象書類名】明細書
【補正対象項目名】０００５
【補正方法】変更
【補正の内容】
【０００５】シリンダーの形がリング状でリングの直径が大きくシリンダー（７）の内径が小さい油圧器以下（Ａ）と云う、シリンダー（７）の形がリング状でリングの直径が小さく、シリンダーの内径が大きい油圧器以下（Ｂ）と云うのを、（Ｂ）のシリンダーの内径より大きい油圧調整タンク以下（Ｃ）と云うのをパイプでつなぐ本発明は以上構成のトルク増幅器。      なおパイプ  １  と  パイプ  ３  は（Ａ）のシリンダーの内径と同じ      パイプ  ２  は（Ｂ）のシリンダーの内径と同じとする。
(57)【要約】      （修正有）【課題】経年劣化等によっても抜けにくい釘を提供する。【解決手段】本発明の釘１は、釘胴部１１と、釘先端部１２とを含む釘であって、前記釘先端部１２の釘１の長手方向に直交する方向の少なくとも一部の断面少なくとも一部断面の一部が、前記釘胴部１１の釘１の長手方向に直交する方向の断面より大きいことを特徴とする。本発明によれば例えば、木材等の構造部材が元に戻ろうとする力を利用することにより、経年劣化によって抜けにくい釘を提供することができることを特徴とする。【選択図】図１
2020118289.tif 000002
【特許請求の範囲】
【請求項１】
釘胴部と、釘先端部とを含む釘であって、
前記釘を前記先端部の反対側から見た際に、前記釘先端部の釘の長手方向に直交する方向の少なくとも一部の断面の少なくとも一部が、前記釘胴部の釘の長手方向に直交する方向の断面から飛び出していることを特徴とする、
釘。
【請求項２】
前記釘先端部の釘の長手方向に直交する方向の少なくとも一部の断面が、前記釘胴部の釘の長手方向に直交する方向の断面より大きい、請求項１記載の釘。
【請求項３】
前記釘胴部が円柱状であり、前記釘先端部が円錐状である、請求項１又は２記載の釘。
【発明の詳細な説明】
【技術分野】
【０００１】本発明は、釘、特に、木材に特化した釘に関する。
【背景技術】
【０００２】従来、木材等の構造部材によって打ち込まれた釘は、経年劣化等により抜けやすくなるという問題があった。
【発明の概要】
【発明が解決しようとする課題】
【０００３】本発明は、経年劣化等によっても抜けにくい釘を提供することを目的とする。
【課題を解決する手段】
【０００４】前記目的を達成するために、本発明は、
釘胴部と、釘先端部とを含む釘であって、
前記釘を前記釘先端部の反対側から見た際に、前記釘先端部の釘の長手方向に直交する方向の少なくとも一部の断面の少なくとも一部が、前記釘胴部の釘の長手方向に直交する方向の断面から飛び出していることを特徴とする、
釘を提供する。
【発明の効果】
【０００５】本発明によれば、例えば、木材等の構造部材が元に戻ろうとする力を利用することにより、経年劣化によって抜けにくい釘を提供することができる。
【図面の簡単な説明】
【０００６】
【図１】図１は、本発明の釘の実施形態（実施形態１）を示す斜視図である。
【図２】図２は、図１のＩ−Ｉ断面に沿った断面図である。
【図３】図３は、本実施形態の釘の使用状態を示す断面図である。
【図４】図４は、本発明の釘を上から見た図である。
【図５】図５は、本発明の釘の釘胴部と釘先端部との組み合わせを示す図である。
【発明を実施するための形態】
【０００７】以下、本発明の釘について、詳細に説明をする。ただし、以下の実施形態に限定されない。
【０００８】（実施形態１）
図１及び図２に、本実施形態の釘の一例の構成を示す。図１は、本実施形態の釘を示す斜視図であり、図２は、図１のＩ−Ｉ断面に沿った断面図である。図示のとおり、この釘１は、釘胴部１１と釘先端部１２と、釘頭部１３とを備える。釘胴部１１の一端（図１において、下方の端部）には、釘先端部１２が配置されており、釘胴部１１の他端（図１において、上方の端部）には、釘頭部１３が配置されている。釘胴部１１、釘先端部１２及び釘頭部１３は、釘１が金属（例えば、ステンレス鋼、鉄）により形成されている場合には、例えば、一体的に構成されていてもよい。
【０００９】釘胴部１１は、断面円形（半径ｒ１）の円柱である。釘先端部１２は、円錐形状であり、円錐の底面（半径ｒ２）が釘胴部１１に一端と接して配置されている。釘１において、ｒ２は、ｒ１よりも大きい。釘頭部１３は、わずかな厚みを有する円柱であり、その側面が釘胴部１１の他端と接して配置されている。
【００１０】本実施形態の釘１は、本技術分野において通常使用される材質、例えば、ステンレス鋼、鉄、銅等を使用して、当業者に公知の方法、例えば、鋳造、射出成形、押出成形、プレス形成、切削加工等により製造することができる。
【００１１】次に、釘１の使用方法を説明する。図３に、釘１が木材２に打ち込まれた状態の断面図を示す。図示のとおり、釘１が木材２打ち込まれると、木材２はその元に戻ろうとする」力により、元の状態に戻ろうとし、釘１の釘胴部１１に向かう。この結果として、釘１の釘先端部１２が木材２に食い込んだ状態となる。このため、本実施形態の釘１は、例えば、経年劣化によっても、木材２から抜けにくくなる。なお、上記説明は例示であり、本発明を限定するものではない。
【００１２】本実施形態では、釘胴部は円柱状、であるが、本発明は、これには限定されず、例えば、釘胴部は、三角柱、四角柱等の多角柱でもよい。また、本発明の実施形態では、釘先端部は円錐形状であるが、本発明は、これに限定されず、例えば、釘先端部は、釘の先端部として、使用時に木材等の構造部材に進入するのに機能し、釘先端部の釘の長手方向に直交する方向の少なくとも一部の断面の少なくとも一部が釘胴部の釘の長手方向に直交する方向の断面から飛び出しているような構造であればよく、例えば、三角柱、四角柱等の多角柱でもよい。
【００１３】図５に、本発明における釘の釘胴部と釘先端部との組み合わせを列記する。
【産業上の利用可能性】
【００１４】以上の説明したように、本発明によれば、経年劣化等によっても抜けにくい釘を提供することができる。
【符号の説明】
【００１５】１    釘
２    木材
１１  釘胴部
１２  釘先端部
１３  釘頭部
【図１】
2020118289.tif 000003
【図２】
2020118289.tif 000004
【図３】
2020118289.tif 000005
【図４】
2020118289.tif 000006
【図５】
2020118289.tif 000007
(57)【要約】【課題】２つの同じ内容のコンテンツを異なる速度で表示する必要があり、一方を超高速表示展開すること、その後に、もう一方をそれより遅くしかも高速で表示すること。【解決手段】学習要素をＧＩＦ動画にした。一方を１枚当たり表示時間を０．２秒程度で組み上げ、コンテンツ前半で超高速表示することにして、もう一方を１枚当たり表示時間を３秒程度で組み上げ、後半で高速表示する、動画に仕上げて超高速学習デジタルコンテンツを完成させた。【選択図】図２
2020118945.tif 000002
【特許請求の範囲】
【請求項１】
ＰＣやスマートホンなどの電子機器を用いて知識・技能を修得させるために、２つの同じ内容の学習コンテンツを異なる表示速度で、前半を超高速、後半を高速に表示できる一式の学習コンテンツに構成した超高速学習デジタルコンテンツ。
【請求項２】
学習対象者の個別対応ができるように、その組み合わせ方について、「超高速学習コンテンツを２回表示＋高速学習コンテンツを１回表示」して組み合わせたコンテンツや「超高速学習コンテンツを１回表示＋高速学習コンテンツを１回表示」などとして組み合わせた一式の学習デジタルコンテンツで、学習者の視覚・聴覚に対応する多様な組み合わせを備えた超高速学習デジタルコンテンツ。
【発明の詳細な説明】
【技術分野】
【０００１】デジタルコンテンツ
【発明の概要】
【発明が解決しようとする課題】
【０００２】２つの同じ内容のコンテンツを異なる速度で表示する必要があり、一方を超高速表示展開すること、その後に、もう一方をそれより遅くしかも高速で表示展開すること。
コンテンツを超高速表示するものと高速表示するものを組み合わせて、一式の学習コンテンツに仕上げること。
【課題を解決するための手段】
【０００３】ＰＣやスマートホンなどのデジタル表示機器に適する超高速学習コンテンツにすることにした。【０００４】学習内容を連続表示可能な学習要素に分解し、カラー表示の図を主体にして各要素ごとに１枚、１枚画像処理を行った。【０００５】３０枚から１０００枚程度の画像をＧＩＦ動画として、一方を１枚当たり０．２秒程度の表示時間で組み上げ前半の動画として超高速表示することにした。もう一方を１枚当たり３秒程度の表示時間で組み上げて後半の高速表示動画に仕上げた。【０００６】これら表示速度の異なる２つのコンテンツを表示順序として、前半で超高速表示、後半で高速表示して組み合わせる一式の動画学習コンテンツとして完成した。
【発明の効果】
【０００７】前半の学習コンテンツで超高速視聴経験をした場合、後半の学習コンテンツの視聴は高速といえども遅く感じさせることができる。【０００８】通常であれば１時間程度かかる学習時間を１分以内に短縮できる。【０００９】知識・技能を定着させるためには繰り返し学習が必要であるが、本学習コンテンツを用いれば高い繰り返し効果が得られる。【００１０】同じ内容の学習コンテンツ２つの表示速度を様々に変えて組み合わせ、高効率の多様な学習材が開発できるので、学習者の多様性にも応えることができる。【００１１】デジタルコンテンツはＷｅｂ対応ができるので、全国どこでも配信できるし、学習場所を選ばず短時間で学習成果を追求できる。【００１２】難易度は時間の関数であるので、難度の高い内容を学習要素に分解して本発明を適用すれば、繰り返し効果によって難しい内容でも短時間で抵抗なく経験値を高めることができる。
【図面の簡単な説明】
【００１３】
【図１】学習内容の１つである植物細胞を示す。
【図２】学習要素として分解表示した葉緑体。
【図３】学習要素として分解表示した液胞。
【図１】
2020118945.tif 000003
【図２】
2020118945.tif 000004
【図３】
2020118945.tif 000005
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
ＰＣやスマートホンなどの電子機器を用いて知識・技能を修得させるために、２つの同じ内容の学習コンテンツを異なる表示速度で、前半を超高速、後半を高速に表示できる一式の学習コンテンツに構成した超高速学習デジタルコンテンツ。
【請求項２】
学習対象者の個別対応ができるように、その組み合わせ方について、「超高速学習コンテンツを２回表示＋高速学習コンテンツを１回表示」して組み合わせたコンテンツや「超高速学習コンテンツを１回表示＋高速学習コンテンツを１回表示」などとして組み合わせた一式の学習デジタルコンテンツで、学習者の視覚・聴覚に対応する多様な組み合わせを備えた超高速学習デジタルコンテンツ。
【請求項３】
ＡＩを活用したソフトウェア等で個々人の学習速度に適応するように音声化もしくは視覚化して構成した、物理・化学・生物・地学・数学などの理数に関する学習内容の超高速学習デジタルコンテンツ